(57)【要約】【課題】  外部の端末からのアドレス情報の問い合わせに対して、目的のアドレス情報を効率よく入手して当該外部の端末に通知する。【解決手段】  通信端末装置は、アドレス情報を記憶した登録情報記憶部１３０を有する。また、通信端末装置は、外部の端末からアドレス情報を問い合わせるための検索条件を受け付けるメール受信部１１２と、検索条件に基づき、登録情報記憶部１３０、またはアドレス情報を格納したデータベースを有するディレクトリサーバ（不図示）を検索し、該当するアドレス情報を取得する検索実行部１２４と、検索実行部１２４が取得したアドレス情報を外部の端末に通知するメール送信部１２６と、を有する。【選択図】  図２
2005269455.tif 000002
【特許請求の範囲】
【請求項１】
アドレス情報を記憶した記憶手段を有する通信端末装置であって、
外部の端末からアドレス情報を問い合わせるための検索条件を受け付ける受付手段と、
前記検索条件に基づき、前記記憶手段、またはアドレス情報を格納したデータベースを有するディレクトリサーバを検索し、該当するアドレス情報を取得する検索手段と、
前記検索手段が取得した前記アドレス情報を前記外部の端末に通知する通知手段と、
を備えたことを特徴とする通信端末装置。
【請求項２】
請求項１に記載の通信端末装置において、
前記検索手段は、前記検索条件に基づき、前記記憶手段および前記ディレクトリサーバを略同時に検索することを特徴とする通信端末装置。
【請求項３】
請求項１に記載の通信端末装置において、
前記検索手段は、前記検索条件に基づき、前記記憶手段を検索し、該当するアドレス情報が得られなかった場合に、前記ディレクトリサーバを検索することを特徴とする通信端末装置。
【請求項４】
請求項１乃至３いずれかに記載の通信端末装置において、
前記検索手段は、前記アドレス情報を、当該アドレス情報を提供したディレクトリサーバまたは前記記憶手段の識別情報に対応付けて取得することができ、
前記通知手段は、前記アドレス情報を、各アドレス情報の提供元を示す情報とともに通知することを特徴とする通信端末装置。
【請求項５】
所定の通信方式で通信を行う通信手段を有する通信端末装置であって、
前記通信の相手先のアドレス情報と、当該通信の結果とを含む通信履歴を記憶する通信履歴記憶手段と、
外部の端末からアドレス情報を問い合わせるための検索条件を受け付ける受付手段と、
前記検索条件に基づき、アドレス情報を記憶したアドレス記憶部を検索し、該当するアドレス情報を取得する検索手段と、
前記通信履歴記憶手段を参照して、前記検索手段が取得した前記アドレス情報に関する通信履歴を検出し、当該通信履歴を考慮して前記アドレス情報に付加情報を付す付加手段と、
前記検索手段が取得した前記アドレス情報を前記付加情報とともに前記外部の手段に通知する通知手段と、
を含むことを特徴とする通信端末装置。
【請求項６】
請求項１乃至５いずれかに記載の通信端末装置において、
前記外部の端末を認証する手段をさらに含み、
前記検索手段は、前記外部の端末が認証された場合に、前記検索を行うことを特徴とする通信端末装置。
【請求項７】
請求項１乃至６いずれかに記載の通信端末装置において、
前記検索手段が取得したアドレス情報の信頼性の度合いを検出する検出手段をさらに含み、
前記通知手段は、アドレス情報を、前記信頼性の度合いとともに通知することを特徴とする通信端末装置。
【発明の詳細な説明】
【技術分野】
【０００１】
本発明は、通信端末装置に関し、特に、外部の端末からのアドレス情報の問い合わせに対して、所望のアドレス情報を取得し、当該外部の端末に通知する通信端末装置に関する。
【背景技術】
【０００２】
ネットワーク技術の普及にともない、たとえばファクシミリ装置やＭＦＰ（Multi Functional Peripheral）などの情報機器もネットワークに接続されるようになってきた。このようなファクシミリ装置は、一般的なＧ３方式等によるファクシミリ通信機能の他に、Ｅメール送受信機能、原稿の画像データ等をネットワークを介して送受信するインターネットファックス機能等を備え、他のファクシミリ装置、コンピュータ、およびインターネットファックス装置等と情報の送受信を行うことができる。
【０００３】
このように、ファクシミリ装置がネットワークに接続されることにより、ファクシミリ装置から、同じネットワークに接続されたディレクトリサーバに蓄積された情報を読み出すことが可能となってきた。
【０００４】
特許文献１には、ＬＤＡＰ（Lightweight Directory Access Protocol）に基づくディレクトリサービスにおいて、クライアント側からＬＤＡＰに基づく検索を検索用ディレクトリサーバに実行させ、必要な情報を検索する文書ファイル検索システムが開示されている。
【０００５】
このようなディレクトリサーバに、電話帳などの情報を登録しておくことにより、従来はファクシミリ装置毎に保有していた電話帳などの情報を一元管理することも可能となっている。
【０００６】
ところで、特許文献２には、メールサーバから受け取ったＥメール文中のデータベース汎用問い合わせ言語に従って、指定されたデータベースに登録、検索、更新、削除を行い、その結果を指定された形式に変換し、メールサーバに対して要求元のクライアントに結果を返送するメールデータベースサーバが開示されている。このように、メールデータベースサーバの機能を用いることにより、携帯電話や携帯端末から、外出先や移動中にもデータベースにアクセス可能となる。
【０００７】
たとえば、外出先で携帯端末から顧客等にメールを送信したい場合に、相手先のアドレスがわからない場合に、上記のようなメールデータベースサーバの機能を用いることにより、電話帳等の情報が登録されたディレクトリサーバにアクセスしてアドレスを取得することも可能となる。
【特許文献１】特開２００１−３２５２９０号公報
【特許文献２】特開２００１−３０６５７０号公報
【発明の開示】
【発明が解決しようとする課題】
【０００８】
ところで、通常、ファクシミリ装置は、それ自体に短縮ダイヤルや電話帳等を記憶しておく機能を有する。このような場合、わざわざディレクトリサーバの検索を行わなくても、ファクシミリ装置内に目的のアドレスが含まれることもある。
【０００９】
また、ファクシミリ装置は、他のファクシミリ装置、コンピュータ、およびインターネットファックス装置等と通信を行うが、通常、その通信履歴を保持している。これにより、ユーザは通信が無事行われたことやエラーが生じたことを知ることができる。
【００１０】
本発明は、上記背景の下でなされたものであり、その目的は、外部の端末からのアドレス情報の問い合わせに対して、目的のアドレス情報を効率よく入手して当該外部の端末に通知する通信端末装置を提供することにある。
【課題を解決するための手段】
【００１１】
本発明によれば、アドレス情報を記憶した記憶手段を有する通信端末装置であって、外部の端末からアドレス情報を問い合わせるための検索条件を受け付ける受付手段と、検索条件に基づき、記憶手段またはアドレス情報を格納したデータベースを有するディレクトリサーバを検索し、該当するアドレス情報を取得する検索手段と、検索手段が取得したアドレス情報を外部の端末に通知する通知手段と、を備えたことを特徴とする通信端末装置が提供される。
【００１２】
ここで、通信端末装置は、たとえばファクシミリ装置とすることができる。このように、本発明によれば、外部の端末からの問い合わせに対して、通信端末装置自体が有する記憶手段と、外部のディレクトリサーバとを対象としてアドレス情報の検索を行うので、目的のアドレス情報を取得することができる確率が高くなる。
【００１３】
本発明の通信端末装置において、検索手段は、検索条件に基づき、記憶手段およびディレクトリサーバを略同時に検索することができる。
【００１４】
これにより、効率よくアドレス情報を取得することができる。
【００１５】
本発明の通信端末装置において、検索手段は、検索条件に基づき、記憶手段を検索することができ、該当するアドレス情報が得られなかった場合に、ディレクトリサーバを検索することができる。
【００１６】
このようにすれば、通信記憶装置自体が有する記憶手段に目的のアドレス情報が含まれる場合に、外部のディレクトリサーバの検索を行うことなく、目的のアドレス情報を外部の端末に通知することができるので、迅速にアドレス情報の通知を行うことができる。
【００１７】
本発明の通信端末装置において、前記検索手段は、前記アドレス情報を、当該アドレス情報を提供したディレクトリサーバまたは記憶手段の識別情報に対応付けて取得することができ、前記通知手段は、前記アドレス情報を、各アドレス情報の提供元を示す情報とともに通知することができる。
【００１８】
また、本発明の通信端末装置は、検索手段が取得したアドレス情報の信頼性の度合いを検出する検出手段をさらに含むことができ、通知手段は、アドレス情報を、信頼性の度合いとともに通知することができる。
【００１９】
ここで、アドレス情報の信頼性の度合いは、アドレス情報の提供元の信頼性を定義した管理テーブルを準備し、この管理テーブルを参照して行うことができる。通信端末装置は、提供元毎に、提供されたアドレス情報の通信実績を分析し、提供元の信頼性を算出し、管理テーブルを更新する更新手段を設けることもできる。また、検出手段は、通信記録やアドレス情報の新規登録や変更の更新日時の記録を行い、これらの記録に基づいてアドレス情報の信頼性の度合いを検出することもできる。
【００２０】
この構成によれば、通信端末装置は、検索によって得られたアドレス情報を信頼性の度合いとともにユーザに通知することができる。これにより、一つの宛先に対して複数のアドレス情報が重複して得られてしまった場合でも、どのアドレス情報を使用すべきかをユーザが判断することができる。
【００２１】
本発明によれば、所定の通信方式で通信を行う通信手段を有する通信端末装置であって、通信の相手先のアドレス情報と、当該通信の結果とを含む通信履歴を記憶する通信履歴記憶手段と、外部の端末からアドレス情報を問い合わせるための検索条件を受け付ける受付手段と、検索条件に基づき、アドレス情報を記憶したアドレス記憶部を検索し、該当するアドレス情報を取得する検索手段と、通信履歴記憶手段を参照して、検索手段が取得したアドレス情報に関する通信履歴を検出し、当該通信履歴を考慮してアドレス情報に付加情報を付す付加手段と、検索手段が取得したアドレス情報を付加情報とともに外部の手段に通知する通知手段と、を含むことを特徴とする通信端末装置が提供される。
【００２２】
ここで、アドレス情報を記憶したアドレス記憶部は、通信端末装置自体が有する電話帳等の記憶手段とすることもでき、また、上述したようなアドレス情報を格納したデータベースを有するディレクトリサーバとすることもできる。検索手段は、これらの両方を検索することもできる。
【００２３】
ここで、付加情報は、たとえば取得手段が取得したアドレス情報に基づき、通信手段が通信を行った場合に、通信が無事行われたか否かに関する情報とすることができる。
【００２４】
本発明の通信端末装置は、外部の端末を認証する手段をさらに含むことができ、検索手段は、外部の端末が認証された場合に、検索を行うことができる。
【００２５】
なお、以上の構成要素の任意の組合せ、本発明の表現を方法、装置、システム、記録媒体、コンピュータプログラムなどの間で変換したものもまた、本発明の態様として有効である。
【発明の効果】
【００２６】
上述のように、本発明によれば、外部の端末からのアドレス情報の問い合わせに対して、目的のアドレス情報を効率よく入手して当該外部の端末に通知することができる。
【発明を実施するための最良の形態】
【００２７】
以下、本発明の実施の形態を図面を参照して説明する。
【００２８】
（第一の実施の形態）
図１は、本実施の形態の通信端末装置のネットワーク構成を示すブロック図である。
通信端末装置１０は、ネットワーク４１を介して複数のディレクトリサーバ４３に接続される。各ディレクトリサーバ４３は、様々な情報が蓄積されたデータベース（不図示）を有する。通信端末装置１０は、ディレクトリサーバ４３に対して問い合わせを行い、情報を取得する。通信端末装置１０は、たとえば、ＬＤＡＰに基づくディレクトリサービスを利用して、ＬＤＡＰに基づく検索をディレクトリサーバ４３に実行させ、情報を取得する。
【００２９】
本実施の形態において、ディレクトリサーバ４３のデータベースには、複数の登録者について複数の項目を含むアドレス情報が格納されている。通信端末装置１０は、宛先のアドレス情報を得るために、ディレクトリサーバ４３に問い合わせを行い、ディレクトリサーバ４３に検索を実行させ、登録者の中から該当する情報を取得する。
【００３０】
本実施の形態において、通信端末装置１０は、たとえば、ネットワークファクシミリ装置やＭＦＰ（Multi Functional Peripheral）などのファクシミリ装置である。通信端末装置１０は、複数のディレクトリサーバ４３のクライアントとして動作するとともに、たとえばＳＭＴＰ（Simple Mail Transfer Protocol）やＰＯＰ（Post Office Protocol）に基づいて電子メールを送受信する機能を備える。本実施の形態において、通信端末装置１０は、外部の携帯端末４０からのアドレス情報の送信要求に基づき、自身が保持するアドレス帳やネットワーク４１を介して接続されたディレクトリサーバ４３を検索して該当するアドレス情報を取得し、そのアドレス情報を携帯端末４０に返信する。
【００３１】
通信端末装置１０は、他の通信端末装置と複数の通信方式で通信が可能である。通信端末装置１０は、たとえば、ＰＳＴＮ（公衆交換電話網）４５を通じて、電話機３０およびファックス端末３１と通信する。また、通信端末装置１０は、たとえば、インターネットなどのネットワーク４７を通じて、Ｅメール端末３３、ＩＰ電話端末３４およびインターネットファックス端末３５と通信する。また、ここでは図示していないが、通信端末装置１０は、携帯電話端末と通信を行うこともでき、その場合、無線基地局および無線中継局を介して通信する。
【００３２】
通信端末装置１０が他の通信端末装置と通信を行う場合は、宛先のアドレス情報を指定する。宛先のアドレス情報は、各通信端末装置の種類によって異なり、たとえば、電話番号、ファクシミリ番号、メールアドレス、ＩＰ電話番号、インターネットファックス番号などが含まれる。
【００３３】
通信端末装置１０は、通信部１１と、操作部１３と、表示部１５と、制御部１７と、記憶装置１９と、インタフェース部２１と、を含む。なお、図１において、本発明の本質に関わらない部分の構成については省略してあり、たとえば、ファクシミリ装置の構成である原稿読み取り部、画像処理部、および記録部や、電話装置の構成である音声出力部、集音部および音声処理部などは図示していない。
【００３４】
また、通信端末装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００３５】
通信部１１は、ファックス端末３１、Ｅメール端末３３、インターネットファックス端末３５、携帯端末４０と通信を行う。
【００３６】
操作部１３は、通信端末装置１０のユーザが操作する各種設定および入力を受け付けるものであり、たとえば、操作ボタン、スイッチ、レバー、キーボード、タッチパネルなどである。
【００３７】
表示部１５は、各種情報表示、操作画面表示、通信端末装置１０の動作や状態表示などを行うものであり、たとえば、ランプ、ＬＥＤ、ＣＲＴモニタ、液晶ディスプレイなどである。
【００３８】
制御部１７は、通信端末装置１０の各種要素とともに装置全体を制御する。記憶装置１９の詳細については後述する。
【００３９】
インタフェース部２１は、ネットワーク４１を介して接続される複数のディレクトリサーバ４３との通信を可能とする。
【００４０】
図２は、図１に示した制御部１７および本実施の形態の通信端末装置のネットワーク構成を示すブロック図である。
【００４１】
制御部１７は、メール受信部１１２と、第一の判断部１１４と、暗号化処理部１１６と、クエリー検出部１１８と、第二の判断部１２０と、クエリー解析部１２２と、検索実行部１２４と、メール送信部１２６と、配信部１３２と、エラーメッセージ作成部１３４と、を有する。また、記憶装置１９は、利用者データベース１２８と、登録情報記憶部１３０とを有する。
【００４２】
本実施の形態において、アドレス情報を問い合わせる場合、携帯端末４０は、メッセージを暗号化して通信端末装置１０に送信するものとする。
【００４３】
メール受信部１１２は、通信部１１を介して、携帯端末４０から電子メールを受信する。第一の判断部１１４は、メール受信部１１２が受信した電子メールのメッセージが暗号化されているか否かを判断する。電子メールのメッセージが暗号化されていない場合、第一の判断部１１４は、その電子メールは通常の電子メールであると判断して、通常のメール受信処理を行う。通常のメール受信処理とは、電子メールを図示しない格納部に保存し、配信部１３２が通信端末装置１０に接続されたユーザ端末等に電子メールを受信したことをブロードキャストする処理等である。ユーザ端末は、必要に応じて、電子メールのデータを取得する。
【００４４】
暗号化処理部１１６は、暗号化された電子メールのメッセージを復号したり、メッセージを暗号化したりする。ここで、メッセージは、たとえばＰＧＰ（pretty good privacy）やＳ／ＭＩＭＥ等、予め携帯端末４０との間で取り決められた所定の形式で暗号化される。
【００４５】
クエリー検出部１１８は、暗号化処理部１１６において復号されたメッセージ中にアドレス情報を問い合わせるクエリーが含まれるか否かを検出する。メッセージ中にアドレス情報を問い合わせるクエリーが含まれない場合、クエリー検出部１１８は、その電子メールは通常の電子メールであると判断して、通常のメール受信処理を行う。
【００４６】
利用者データベース１２８には、外部からアドレス情報を問い合わせることが許可されている利用者のメールアドレス、ＩＤ、パスワード等が記憶される。第二の判断部１２０は、電子メールの送信者が利用者データベース１２８に登録されているか否かを判断する。具体的には、電子メールの送信元アドレスが利用者データベース１２８に記憶されているか否か等により判断することができる。
【００４７】
クエリー解析部１２２は、電子メールのメッセージ中にクエリーが含まれる場合に、そのクエリーを解析する。ここで、クエリーは、たとえばＳＱＬ（Structured Query Language）文で記載することができる。クエリー解析部１２２は、クエリーのコマンドが正しいか否かを判断する。コマンドが正しくない場合、クエリー解析部１２２は、その結果をエラーメッセージ作成部１３４に通知する。一方、コマンドが正しかった場合、クエリー解析部１２２は、そのコマンドを検索実行部１２４に通知する。
【００４８】
登録情報記憶部１３０は、通信端末装置１０が保有する電話帳などのアドレス情報を記憶する。ここで、アドレス情報は、たとえば、電話番号、ファクシミリ番号、メールアドレス、ＩＰ電話番号、インターネットファックス番号等の宛先、および登録者名、会社名、所属部署名等の名称を含む。
【００４９】
検索実行部１２４は、クエリー解析部１２２により解析されたコマンドに基づき、登録情報記憶部１３０を検索する。また、ディレクトリサーバ４３や登録情報記憶部１３０からの検索結果を取得する。
【００５０】
また、検索実行部１２４は、ネットワーク４１を介して複数のディレクトリサーバ４３に接続される。検索実行部１２４は、クエリー解析部１２２により解析されたコマンドに基づき、ディレクトリサーバ４３のデータベースも検索する。
【００５１】
エラーメッセージ作成部１３４は、第二の判断部１２０が、その電子メールの利用者が外部からアドレス情報を問い合わせることが許可されていないと判断した場合や、クエリー解析部１２２が解析したコマンドが正しくない場合にエラーメッセージを作成する。
【００５２】
暗号化処理部１１６は、検索実行部１２４が取得した検索結果やエラーメッセージを暗号化する。メール送信部１２６は、暗号化処理部１１６により暗号化されたメッセージを携帯端末４０に送信する。
【００５３】
携帯端末４０は、たとえばパーソナルコンピュータである。また、携帯端末４０は、携帯電話端末とすることもでき、この場合、通信端末装置１０は、無線基地局や無線中継局を介して携帯電話端末と電子メールの送受信を行う。
【００５４】
また、ここで図示していないが、記憶装置１９は、検索実行部１２４が登録情報記憶部１３０やディレクトリサーバ４３から取得した検索結果を一時的に記憶する記憶部をさらに含むことができる。
【００５５】
図３は、本実施の形態における通信端末装置１０の処理手順を示すフローチャートである。以下、図１および図２も参照して説明する。
まず、携帯端末４０からアドレス情報を問い合わせるユーザは、たとえば宛先の名称の少なくとも一部を問い合わせ情報として携帯端末４０に入力する。ユーザは、ＳＱＬ文で問い合わせ情報を入力することもできるが、携帯端末４０にＳＱＬ文変換機能を持たせておき、ユーザが入力した通常の問い合わせ情報をＳＱＬ文に変換するようにすることもできる。つづいて、携帯端末４０は、ＳＱＬ文を所定の方式で暗号化し、通信端末装置１０に送信する。
【００５６】
通信端末装置１０において、メール受信部１１２が電子メールを受信すると（Ｓ１０）、第一の判断部１１４は、その電子メールのメッセージが暗号化されているか否かを判断する（Ｓ１２）。メッセージが暗号化されている場合（Ｓ１２のＹＥＳ）、暗号化処理部１１６は、そのメッセージを所定の方式に従って復号する（Ｓ１４）。
【００５７】
つづいて、クエリー検出部１１８は、復号されたメッセージ中にクエリーが含まれるか否かを判断する（Ｓ１６）。ここで、クエリーが含まれる場合（Ｓ１６のＹＥＳ）、第二の判断部１２０は、その電子メールの送信元アドレスが利用者データベース１２８に登録されているか否かを判断する（Ｓ１８）。その電子メールの送信元アドレスが利用者データベース１２８に登録されている場合（Ｓ１８のＹＥＳ）、クエリー解析部１２２は、クエリーのコマンドを解析する（Ｓ２０）。ここで、クエリーが正しい場合（Ｓ２２のＹＥＳ）、検索実行部１２４は、そのコマンドに従い、登録情報記憶部１３０および／またはディレクトリサーバ４３を検索する。検索実行部１２４は、登録情報記憶部１３０およびディレクトリサーバ４３を同時に検索してもよい。また、まず登録情報記憶部１３０を検索し、所望の結果が得られなかった場合にディレクトリサーバ４３を検索するようにしてもよい。また、ネットワーク４１上に複数のディレクトリサーバ４３が接続されている場合、検索実行部１２４は、複数のディレクトリサーバ４３に同時に、または順次問い合わせを行うことができる。
【００５８】
つづいて、検索実行部１２４は、登録情報記憶部１３０および／またはディレクトリサーバ４３から検索結果を取得する（Ｓ２６）。暗号化処理部１１６は、検索実行部１２４が取得した検索結果を所定の方式に従って暗号化する（Ｓ２８）。メール送信部１２６は、暗号化処理部１１６により暗号化されたメッセージを携帯端末４０に送信する。
【００５９】
一方、ステップＳ１２において、メール受信部１１２が受信した電子メールのメッセージが暗号化されていなかった場合、または、ステップＳ１６において、復号されたメッセージにクエリーが含まれなかった場合、第一の判断部１１４は、この電子メールは通常の電子メールであると判断し、通常のメール受信処理を行う（Ｓ３４）。この場合、配信部１３２が所定の端末に電子メールを配信する等の処理を行う。
【００６０】
また、ステップＳ１８において、電子メールの送信元アドレスが利用者データベース１２８に登録されていない場合（Ｓ１８のＮＯ）、または、ステップＳ２２において、コマンドが正しくなかった場合（Ｓ２２のＮＯ）、エラーメッセージ作成部１３４は、エラーメッセージを作成する（Ｓ３２）。暗号化処理部１１６は、エラーメッセージ作成部１３４が作成したエラーメッセージを暗号化し（Ｓ２８）、メール送信部１２６は、そのメッセージを携帯端末４０に送信する（Ｓ３０）。
【００６１】
以上のように、本発明の実施の形態における通信端末装置１０によれば、外部の携帯端末４０からのアドレス情報の問い合わせに対して、登録情報記憶部１３０やディレクトリサーバ４３に含まれるアドレス情報から適切なものを取得して携帯端末４０に通知することができる。
【００６２】
また、通信端末装置１０は、受信した電子メールにアドレス情報の問い合わせが含まれるか否かを判断して処理を行うので、通常の電子メール受信処理を行うとともに、所望のアドレス情報を携帯端末４０に通知することもできる。
【００６３】
（第二の実施の形態）
本実施の形態において、通信端末装置１０は、検索実行部１２４が取得したアドレス情報を、そのアドレス情報の信頼性の度合いを考慮して携帯端末４０に返信する。
【００６４】
図４は、本実施の形態における通信端末装置１０の構成を示すブロック図である。
本実施の形態において、制御部１７は、第一の実施の形態において図２に示した構成に加えて、通信制御部１５０と、通信履歴記憶部１５２と、ソート部１５４とをさらに含む。本実施の形態において、第一の実施の形態と同様の構成要素には同様の符号を付し、適宜説明を省略する。
【００６５】
ここで、図示していないが、通信端末装置１０は、外部の携帯端末４０からだけでなく、通信端末装置１０のユーザから直接アドレス情報を問い合わせるための検索条件の入力を受け付けることができる。検索実行部１２４は、検索条件に基づいて登録情報記憶部１３０やディレクトリサーバ４３から目的のアドレス情報を取得する。なお、検索実行部１２４は、アドレス情報とともに、そのアドレス情報の提供元の装置（ディレクトリサーバ４３や登録情報記憶部１３０）に関する情報も取得する。
【００６６】
通信制御部１５０は、ユーザの指示に基づき、検索実行部１２４により得られたアドレス情報を利用して、通信端末装置１０からファクシミリや電子メールを送信する。通信履歴記憶部１５２は、このようなファクシミリや電子メールが無事送信先に届いたか否か等の通信履歴を記憶する。通信制御部１５０が、検索実行部１２４により得られたアドレス情報を利用してファクシミリや電子メールの送信を行った場合、通信履歴記憶部１５２には、通信が無事行われたかという結果とともに、そのアドレス情報の提供元の装置に関する情報も通信履歴として記憶される。このように通信履歴記憶部１５２に通信履歴を記憶していけば、通信履歴記憶部１５２を参照することにより、どの装置からの情報が信頼性が高いかを判断することができる。
【００６７】
ソート部１５４は、検索実行部１２４が登録情報記憶部１３０や複数のディレクトリサーバ４３から複数のアドレス情報を取得した場合に、通信履歴記憶部１５２を参照して、信頼性の高い装置から得られた情報が上位になるようにアドレス情報を並べ替える。暗号化処理部１１６は、このようにして並べ替えられたアドレス情報を暗号化し、メール送信部１２６は暗号化されたメッセージを携帯端末４０に送信する。
【００６８】
これにより、携帯端末４０では、信頼性の高いアドレス情報から順に並べられた検索結果を得ることができる。これにより、携帯端末４０のユーザは、複数のアドレス情報がある場合に、どのアドレス情報が信頼性が高いかを判断して電話や電子メールの送信等を行うことができ、利便性が向上する。
【００６９】
また、信頼性の度合いは、通信履歴だけでなく、そのアドレス情報が更新された日時に基づき算出することもでき、種々の方法で得ることができる。さらに、検索実行部１２４が複数のアドレス情報を取得した場合に、信頼性の度合いが高い上位のアドレス情報だけを暗号化処理部１１６により暗号化させ、メール送信部１２６から携帯端末４０に送信するようにすることもできる。これにより、携帯端末４０のユーザは、効率よく信頼性の度合いが高い情報を得ることができる。
【００７０】
なお、通信端末装置１０は、ソート部１５４による並べ替えを行うことなく、アドレス情報に信頼性に関する情報を付加して携帯端末４０に送信することもできる。
【００７１】
以上に本発明の好適な実施の形態を説明した。しかし、本発明は上述の実施の形態に限定されず、当業者が本発明の範囲内で上述の実施の形態を変形可能なことはもちろんである。
【００７２】
通信端末装置１０は、携帯端末４０にアドレス情報を送信する際に、そのアドレス情報の提供元の装置を示す情報をアドレス情報とともに送信することもできる。
【産業上の利用可能性】
【００７３】
本発明にかかる通信端末装置は、外部の端末からのアドレス情報の問い合わせに対しても、目的のアドレスを効率よく入手して、当該外部の端末に通知することができるという効果を有し、通信端末装置等として有用である。
【図面の簡単な説明】
【００７４】
【図１】本発明の実施の形態における通信端末装置を示すブロック図である。
【図２】図１に示した制御部の構成を詳細に示すブロック図である。
【図３】本実施の形態における通信端末装置の処理手順を示すフローチャートである。
【図４】本発明の実施の形態における通信端末装置の制御部の構成を詳細に示すブロック図である。
【符号の説明】
【００７５】
１０  通信端末装置
１１  通信部
１３  操作部
１５  表示部
１７  制御部
１９  記憶装置
２１  インタフェース部
４０  携帯端末
４１  ネットワーク
４３  ディレクトリサーバ
４７  ネットワーク
１１２  メール受信部
１１４  第一の判断部
１１６  暗号化処理部
１１８  クエリー検出部
１２０  第二の判断部
１２２  クエリー解析部
１２４  検索実行部
１２６  メール送信部
１２８  利用者データベース
１３０  登録情報記憶部
１３２  配信部
１３４  エラーメッセージ作成部
１５０  通信制御部
１５２  通信履歴記憶部
１５４  ソート部
【図１】
2005269455.tif 000003
【図２】
2005269455.tif 000004
【図３】
2005269455.tif 000005
【図４】
2005269455.tif 000006